【事件の表示】
　平成４年特許願第５０１７７２号「透明性に優れた鋳込み重合物およびその製法」拒絶査定に対する審判事件〔平成４年７月２３日国際公開、ＷＯ９２／１２２０４、請求項の数（１３）〕について、次のとおり審決する。
【結　論】
　原査定を取り消す。
　本願の発明は、特許すべきものとする。
【理　由】
[１]手続の経緯と本願発明
　本願は、平成３年１２月２７日（平成２年１２月２８日を出願日とする特願平２−４１５５１０号、平成３年３月１４日を出願日とする、特願平３−７３６０２号及び特願平３−７３７３２号に基づく国内優先権主張）を国際出願日とする特許出願であって、その請求項１〜１３に係る発明は、平成１１年６月１３日付け手続補正書によって補正された明細書の記載からみて、その特許請求の範囲の請求項１〜１３に記載された次のとおりのものと認める。
「１）（Ａ）下記一般式（II）
　　　　　　　　　　Ｓｉ（ＯＲ３）４　　（II）
（式中、Ｒ３は水素原子または炭素数１〜１０の炭化水素残基を表わす。）で表わされるシラン化合物（Ａ−１）２０〜１００重量部、および
下記一般式（III）　
　　　　　　　　　　ＳｉＲ１aＲ２ｂ（ＯＲ３）ｄ　　　（III）
（式中、Ｒ１、Ｒ２はエーテル結合またはエステル結合を有していてもよい炭素数１〜１０の炭化水素残基、Ｒ３は水素原子または炭素数１〜１０の炭化水素残基、ａ、ｂは０〜３の整数、ｄは４−ａ−ｂであって、１〜３の整数を表わす。）で表わされるシラン化合物（Ａ−２）０〜８０重量部を加水分解、縮重合させて得られたシリカ系縮重合体と、
（Ｂ）アクリル酸、メタクリル酸、アクリル酸エステルおよびメタクリル酸エステルからなる群より選ばれた一種以上を主成分とするラジカル重合性ビニル化合物（Ｂ’）の重合体とを主成分とし、
両成分（Ａ）および（Ｂ）が均質に相容してなる鋳込み重合物。
２）シリカ系縮重合体（Ａ）２０〜７０重量％と、ラジカ重合性ビニル化合物（Ｂ’）の重合体（Ｂ）８０〜３０重量％を主成分としてなる請求の範囲第１項記載の鋳込み重合物。
３）シリカ系縮重合体（Ａ）が、シラン化合物（Ａ−１）５０〜１００重量部と、シラン化合物（Ａ−２）０〜５０重量部とから得られるものである請求の範囲第１または２項記載の鋳込み重合物。
４）ラジカル重合性ビニル化合物（Ｂ’）が、アクリル酸、メタクリル酸、アクリル酸エステルおよびメタクリル酸エステルからなる群より選ばれた少なくとも一種５０〜１００重量％と、これらと共重合可能な他の単量体０〜５０重量％とからなるものである請求の範囲第１、２または３項記載の鋳込み重合物。
５）Ｓｉ０２分合有量が１５重量％以上で、かつ板厚３ｍｍにおいて測定した曇価が３％以下である請求の範囲第１〜４項のいずれか一項に記載の鋳込み重合物。
６）シリカ系縮重合体（Ａ）をラジカル重合性ビニル化合物（Ｂ’）中に溶解させた状態でラジカル重合性ビニル化合物を重合させて得られるものである請求の範囲第１〜５項のいずれか一項に記載の鋳込み重合物。
７）シリカ系縮重合体（Ａ）が、そのシラノール性水酸基および／またはアルコキシ基が、水酸基を有するビニル化合物（Ｃ−１）またはカルボキシル基を有するビニル化合物（Ｃ−２）で置換されたシリカ系縮重合体を含むものである請求の範囲第１〜６項のいずれか一項に記載の鋳込み重合物。
８）水酸基を有するビニル化合物（Ｃ−１）が、アリルアルコール、メタリルアルコール、２−ヒドロキシエチル（メタ）アクリレートおよび２−ヒドロキシプロピル（メタ）アクリレートからなる群より選ばれる少くとも一種であり、カルボキシル基を有するビニル化合物（Ｃ−２）が（メタ）アクリル酸、クロトン酸、イタコン酸および無水マレイン酸からなる群より選ばれる少くとも一種である請求の範囲第１〜７項のいずれか一項に記載の鋳込み重合物。
９）アクリル酸、メタクリル酸．アクリル酸エステルおよびメタクリル酸エステルからなる群より選ばれた少なくとも一種を主成分とするラジカル重合性ビニル化合物（Ｂ’）またはその部分重合体中に、（Ａ）下記一般式（II）
　　　　　　　　　　Ｓｉ（ＯＲ３）４　　（II）
（式中、Ｒ３は水素原子または炭素数１〜１０の炭化水素残基を表わす。）で表わされるシラン化合物（Ａ−１）２０〜１００重量部、および
下記一般式（III）　
　　　　　　　　　　ＳｉＲ１aＲ２ｂ（ＯＲ３）ｄ　　　（III）
（式中、Ｒ１、Ｒ２はエーテル結合またはエステル結合を有していてもよい炭素数１〜１０の炭化水素残基、Ｒ３は水素原子または炭素数１〜１０の炭化水素残基、ａ、ｂは０〜３の整数、ｄは４−ａ−ｂであって、１〜４の整数を表わす。）で表わされるシラン化合物（Ａ−２）０〜８０重量部を加水分解、縮重合させて得られたシリカ系縮重合体（Ａ）を溶解した混合溶液を調製し、次いでこの混合溶液のラジカル重合を実施する工程を有することを特徴とする鋳込み重合物の製造方法。
１０）前記混合溶液のラジカル重合と、混合溶液中のシリカ系縮重合体（Ａ）の更なる縮重合を同時に実施する請求の範囲第９項記載の鋳込み重合物の製造方法。
１１）前記混合溶液のラジカル重合と、シリカ系縮重体（Ａ）の更なる縮重合を、４０〜１５０℃の温度下に実施する請求の範囲第９または１０項記載の鋳込み重合物の製造法。
１２）シリカ系縮重合体（Ａ）を溶媒に溶解した溶液に、成分（Ｂ’）を混合した後、この混合液から成分（Ａ）の溶媒および水を留去して前記混合溶液を調製する請求の範囲第９、１０または１１項記載の鋳込み重合物の製造方法。
１３）シリカ系縮重合体（Ａ）を溶媒に溶解した溶液から該溶媒および水を留去しつつ成分（Ｂ’）を添加して前記混合溶液を調製する請求の範囲第９〜１２項のいずれか一項に記載の鋳込み重合物の製造方法。」
　
[２]原査定の理由
　これに対し、原査定の理由の概要は、以下のとおりである。
＜理由１＞
　本願請求項１〜１３に係る発明は、本願出願前に頒布された国際公開第８９／０６２４９号パンフレット（１９８９）に記載された発明に基づいて当業者が容易に発明をすることができたものであるから、特許法第２９条第２項の規定により特許を受けることができない。
＜理由２＞
　発明の詳細な説明には、過度の試行錯誤なく、相容性を示す構成を決定するための指針が何ら示されておらず、当業者が容易にその実施をできる程度に、その発明の目的、構成及び効果が記載されていないから、特許法第３６条第４項の規定により特許を受けることができない。
　
[３]対比・判断
（１）刊行物の記載事項
　原査定の拒絶の理由に引用された国際公開第８９／０６２４９号パンフレット（１９８９）（以下、「刊行物１」という。）には、インターペネトレート網構造のポリシロキサンのネットワーク（１）とアクリルのネットワーク（２）とからなる高分子材料において、上記ネットワーク（１）が、（１ａ）α，ω−ジヒドロキシル化ポリジメチルシロキサンおよび少なくとも７０％のジメチルシロキサン構成単位を有するα，ω−ジヒドロキシル化ポリ（ジメチルジフェニル）シロキサンによって構成される群から選択された少なくとも１つの前駆体ポリマーと（１ｂ）上記（１ａ）から形成されたポリマーの少なくとも１つの有効量の架橋剤および／または上記ネットワーク（１）と（２）との間の結合を形成するための少なくとも１つの有効量の上記ポリマーの橋掛け剤と、
上記（２）のネットワークが（２ａ）親水性の官能基を含まない少なくとも１つのアクリルまたはメタクリルの主モノマーとからなる高分子材料（特許請求の範囲１項）、そして、上記架橋剤（１ｂ）が下式
（ａ）トリアルコキシシラン
（ここで、Ｒはメチルまたはエチル基であり、Ｒ’は水素、メチルまたはエチル基を示す）、
（ｂ）テトラアルコキシシラン
（式中、Ｒ１はメチル、エチル、プロピルまたはブチルを表す）、
（ｃ）下記化合物
（ここで、Ｒ２はメチル基を示し、Ｒ３はメチルまたはエチル基を表す。）の中から選択されるシラン化合物を用いること（特許請求の範囲４項）、また、成分（１ｂ）は、プレポリマー（１ａ）のＳｉＯＨ官能基の数に対するこの成分（１ｂ）のネットワークを形成するための官能基の数の比（すなわち、ネットワーク（１）の化学量論Ｋ）が約１〜４の範囲となるような量で用いること（５頁２８行〜３３行）が記載されている。
　
（２）対比・判断
＜理由１について＞
　本件請求項１に係る発明（以下「本件発明１」という。）は、
（Ａ）一般式　　　　　　Ｓｉ（ＯＲ３）４　　（II）
（式中、Ｒ３は水素原子または炭素数１〜１０の炭化水素残基を表わす。）で表わされるシラン化合物（Ａ−１）２０〜１００重量部、および
一般式　　　　　　　　　ＳｉＲ１aＲ２ｂ（ＯＲ３）ｄ　　　（III）
（式中、Ｒ１、Ｒ２はエーテル結合またはエステル結合を有していてもよい炭素数１〜１０の炭化水素残基、Ｒ３は水素原子または炭素数１〜１０の炭化水素残基、ａ、ｂは０〜３の整数、ｄは４−ａ−ｂであって、１〜３の整数を表わす。）で表わされるシラン化合物（Ａ−２）０〜８０重量部を加水分解、縮重合させて得られたシリカ系縮重合体と、
（Ｂ）アクリル酸、メタクリル酸、アクリル酸エステルおよびメタクリル酸エステルからなる群より選ばれた一種以上を主成分とするラジカル重合性ビニル化合物（Ｂ’）の重合体とを主成分とし、
両成分（Ａ）および（Ｂ）が均質に相容してなる鋳込み重合物であって、アクリル系樹脂が本来有する透明性、靱性、低比重、良加工性を損なうことなく、高剛性および耐熱性が付与された有機重合体を提供するものである。
　
　一方、刊行物１には、ポリシロキサンのネットワーク（１）が、（１ａ）α，ω−ジヒドロキシル化ポリジメチルシロキサンおよび少なくとも７０％のジメチルシロキサン構成単位を有するα，ω−ジヒドロキシル化ポリ（ジメチルジフェニル）シロキサンによって構成される群から選択された少なくとも１つの前駆体ポリマーと（１ｂ）上記（１ａ）から形成されたポリマーの少なくとも１つの有効量の架橋剤および／または上記ネットワーク（１）とアクリルのネットワーク（２）との間の結合を形成するための少なくとも１つの有効量の上記ポリマーの橋掛け剤と、アクリルのネットワーク（２）が（２ａ）親水性の官能基を含まない少なくとも１つのアクリルまたはメタクリルの主モノマーとからなる高分子材料が示されている。
　そして、刊行物１の架橋剤としては、（ａ）トリアルコキシシラン、（ｂ）テトラアルコキシシランなどが示され、架橋剤である成分（１ｂ）は、プレポリマー（１ａ）のＳｉＯＨ官能基の数に対するこの成分（１ｂ）のネットワークを形成するための官能基の数の比（すなわち、ネットワーク（１）の化学量論Ｋ）が約１〜４の範囲となるような量で用いるものである。
　そうすると、刊行物１の（ｂ）テトラアルコキシシランは、架橋剤として使用されるものであるが、架橋剤としては、（ｂ）テトラアルコキシシラン
のみではなく他のシラン化合物が同等に使用されるものであり、その使用量もプレポリマー（１ａ）のＳｉＯＨ官能基の数に対し、成分（１ｂ）の官能基の数が約１〜４の範囲となるような量で示されている。
　してみると、刊行物１の（ｂ）テトラアルコキシシランは、その使用目的及びその使用量が本件発明１の一般式（II）で表されるテトラアルコキシシランとは相違しているというべきである。
　そして、本件発明１は、特許請求の範囲１項記載の
「（Ａ）下記一般式（II）Ｓｉ（ＯＲ３）４　（II）（上記定義のとおり。）で表わされるシラン化合物（Ａ−１）２０〜１００重量部、および
下記一般式（III）ＳｉＲ１aＲ２ｂ（ＯＲ３）ｄ　（III）（上記定義のとおり。）で表わされるシラン化合物（Ａ−２）０〜８０重量部を加水分解、縮重合させて得られたシリカ系縮重合体」を採用することにより、本件明細書記載の優れた透明性、耐熱性、剛性および靱性を有する鋳込み重合物を提供するという効果を奏するものである。
　したがって、本願発明は、刊行物１に記載された発明に基づいて、当業者が容易に発明をすることができたものとすることはできない。
　
　請求項２〜８に係る発明は、本件発明１を引用し、かつ、その要件を限定したものであり、請求項９〜１３に係る発明は、本件発明１の鋳込み重合物の製造方法に関する発明であるから、詳細に検討するまでもなく、本件発明１と同様の理由により、刊行物１に記載された発明に基づいて、当業者が容易に発明をすることができたものとすることはできない。
　
＜理由２について＞
　本件明細書の１０頁２１行〜１１頁１２行及び１４頁１４行〜１５頁５行には、シリカ系縮重合体（Ａ）とラジカル重合性ビニル化合物の重合体（Ｂ）が分子レベルで均一に相容するためには、シリカ系縮重合体（Ａ）を固体として析出させないことが重要であることが記載されている。
　したがって、本件発明の詳細な説明には、当業者が容易にその実施をできる程度に、その発明の目的、構成及び効果が記載されていると認める。
　
[４]むすび
　以上のとおりであるから、本件請求項１〜１３に係る発明は、刊行物１に記載された発明に基づいて、当業者が容易に発明をすることができたものとすることはできないし、本件発明の詳細な説明には、当業者が容易にその実施をできる程度に、その発明の目的、構成及び効果が記載されていると認める。
　また、他に本願を拒絶すべき理由を発見しない。
　よって、結論のとおり審決する。